(57)【要約】【課題】加入者端末の端末種別に応じたサービスを提供する。【解決手段】加入者端末１０１−１から、位置登録を行う際に、加入者端末１０１−１へ提供するサービスを識別するための加入者端末１０１−１の種別を示す端末種別情報と加入者端末１０１−１を識別するための加入者識別情報とがＡＰ１０２−１、ＡＧＷ１０４、Ｐ−ＣＳＣＦ１０５を介してＳ−ＣＳＣＦ１０６へ送信され、Ｓ−ＣＳＣＦ１０６にて、端末種別情報と加入者識別情報とを含めた加入者プロファイル取得要求信号がＨＳＳ１０７へ送信され、ＨＳＳ１０７にて、加入者プロファイル取得要求信号に含まれる端末種別情報と加入者識別情報とに基づいて、加入者端末１０１−１へ提供するサービス内容が特定され、特定されたサービス内容を示す加入者プロファイルがＳ−ＣＳＣＦ１０６へ送信される。【選択図】図１
2009177702.tif 000002
【特許請求の範囲】
【請求項１】
無線通信機能を有する端末と、該端末と接続されたアクセス装置と、前記端末から前記アクセス装置を介して送信された呼制御信号にしたがって呼の設定を行う呼制御装置と、前記呼制御装置に接続され、前記端末を識別するための加入者識別情報と前記端末へ提供するサービス内容とを対応付けて記憶する加入者情報収容装置とを有してなる情報通信システムにおいて、
前記端末は、位置登録を行う際に、該端末へ提供するサービスを識別するための端末の種別を示す端末種別情報を前記加入者識別情報と共に前記アクセス装置を介して前記呼制御装置へ送信し、
前記呼制御装置は、前記端末から前記アクセス装置を介して前記端末種別情報と前記加入者識別情報とが送信されてきた場合、前記端末種別情報と前記加入者識別情報とを含めた加入者プロファイル取得要求信号を前記加入者情報収容装置へ送信し、
前記加入者情報収容装置は、前記呼制御装置から送信されてきた加入者プロファイル取得要求信号に含まれる前記端末種別情報と前記加入者識別情報とに基づいて、前記端末へ提供するサービス内容を特定し、特定されたサービス内容を示す加入者プロファイルを前記呼制御装置へ送信することを特徴とする情報通信システム。
【請求項２】
請求項１に記載の情報通信システムにおいて、
前記アクセス装置は、前記端末から前記加入者識別情報が送信されてきた場合、該アクセス装置がカバーするアクセス網にて提供するサービスを識別するためのアクセス網の種別を示すアクセス網種別情報を前記加入者識別情報と共に前記呼制御装置へ送信し、
前記呼制御装置は、前記アクセス装置から前記アクセス網種別情報と前記加入者識別情報とが送信されてきた場合、前記アクセス網種別情報と前記加入者識別情報とを含めた加入者プロファイル取得要求信号を前記加入者情報収容装置へ送信し、
前記加入者情報収容装置は、前記呼制御装置から送信されてきた加入者プロファイル取得要求信号に含まれる前記アクセス網種別情報と前記加入者識別情報とに基づいて、前記アクセス網に存在する端末へ提供するサービス内容を特定し、特定されたサービス内容を示す加入者プロファイルを前記呼制御装置へ送信することを特徴とする情報通信システム。
【請求項３】
請求項１に記載の情報通信システムにおいて、
前記加入者情報収容装置は、
前記加入者識別情報と前記端末へ提供するサービス内容とを対応付けて記憶し、前記端末種別情報と該端末種別の端末へ提供するサービス内容とを対応付けて記憶するデータベースと、
前記呼制御装置から送信されてきた加入者プロファイル取得要求信号に含まれる前記端末種別情報と前記加入者識別情報とに基づいて、前記サービス内容を前記データベースから検索することによって特定して抽出するプロファイル抽出部と、
前記抽出したサービス内容を示す加入者プロファイルを前記呼制御装置へ送信する情報送信部とを有することを特徴とする情報通信システム。
【請求項４】
請求項２に記載の情報通信システムにおいて、
前記加入者情報収容装置は、
前記加入者識別情報と前記端末へ提供するサービス内容とを対応付けて記憶し、前記アクセス網種別情報と該アクセス網に存在する端末へ提供するサービス内容とを対応付けて記憶するデータベースと、
前記呼制御装置から送信されてきた加入者プロファイル取得要求信号に含まれる前記アクセス網種別情報と前記加入者識別情報とに基づいて、前記サービス内容を前記データベースから検索することによって特定して抽出するプロファイル抽出部と、
前記抽出したサービス内容を示す加入者プロファイルを前記呼制御装置へ送信する情報送信部とを有することを特徴とする情報通信システム。
【請求項５】
無線通信機能を有する端末であって、
当該端末が位置登録を行う際に、該端末へ提供するサービスを識別するための端末の種別を示す端末種別情報を該端末を識別するための加入者識別情報と共に当該端末と接続されたアクセス装置へ送信する端末。
【請求項６】
無線通信機能を有する端末と接続可能に構成され、無線信号を終端するアクセス装置であって、
前記端末から該端末を識別するための加入者識別情報が送信されてきた場合、当該アクセス装置がカバーするアクセス網にて提供するサービスを識別するためのアクセス網の種別を示すアクセス網種別情報を前記加入者識別情報と共に前記端末の呼の設定を行う呼制御装置へ送信するアクセス装置。
【請求項７】
無線通信機能を有する端末を識別するための加入者識別情報と前記端末へ提供するサービス内容とを対応付けて記憶する加入者情報収容装置であって、
前記端末の呼の設定を行う呼制御装置から送信されてきた加入者プロファイル取得要求信号に含まれる、前記端末へ提供するサービスを識別するための端末の種別を示す端末種別情報と前記端末を識別するための加入者識別情報とに基づいて、前記端末へ提供するサービス内容を特定し、特定されたサービス内容を示す加入者プロファイルを前記呼制御装置へ送信する加入者情報収容装置。
【請求項８】
請求項７に記載の加入者情報収容装置において、
前記呼制御装置から送信されてきた加入者プロファイル取得要求信号に含まれる、前記端末と接続可能に構成されたアクセス装置がカバーするアクセス網にて提供するサービスを識別するためのアクセス網の種別を示すアクセス網種別情報と前記加入者識別情報とに基づいて、前記アクセス網に存在する端末へ提供するサービス内容を特定し、特定されたサービス内容を示す加入者プロファイルを前記呼制御装置へ送信することを特徴とする加入者情報収容装置。
【請求項９】
請求項７に記載の加入者情報収容装置において、
前記加入者識別情報と前記端末へ提供するサービス内容とを対応付けて記憶し、前記端末種別情報と該端末種別の端末へ提供するサービス内容とを対応付けて記憶するデータベースと、
前記呼制御装置から送信されてきた加入者プロファイル取得要求信号に含まれる前記端末種別情報と前記加入者識別情報とに基づいて、前記サービス内容を前記データベースから検索することによって特定して抽出するプロファイル抽出部と、
前記抽出したサービス内容を示す加入者プロファイルを前記呼制御装置へ送信する情報送信部とを有することを特徴とする加入者情報収容装置。
【請求項１０】
請求項８に記載の加入者情報収容装置において、
前記加入者識別情報と前記端末へ提供するサービス内容とを対応付けて記憶し、前記アクセス網種別情報と該アクセス網に存在する端末へ提供するサービス内容とを対応付けて記憶するデータベースと、
前記呼制御装置から送信されてきた加入者プロファイル取得要求信号に含まれる前記アクセス網種別情報と前記加入者識別情報とに基づいて、前記サービス内容を前記データベースから検索することによって特定して抽出するプロファイル抽出部と、
前記抽出したサービス内容を示す加入者プロファイルを前記呼制御装置へ送信する情報送信部とを有することを特徴とする加入者情報収容装置。
【請求項１１】
無線通信機能を有する端末と、該端末と接続されたアクセス装置と、前記端末から前記アクセス装置を介して送信された呼制御信号にしたがって呼の設定を行う呼制御装置と、前記呼制御装置に接続され、前記端末を識別するための加入者識別情報と前記端末へ提供するサービス内容とを対応付けて記憶する加入者情報収容装置とを有してなる情報通信システムにおけるサービスプロファイル送信方法であって、
前記端末が、位置登録を行う際に、該端末へ提供するサービスを識別するための端末の種別を示す端末種別情報を前記加入者識別情報と共に前記アクセス装置を介して前記呼制御装置へ送信する処理と、
前記呼制御装置が、前記端末から前記アクセス装置を介して前記端末種別情報と前記加入者識別情報とが送信されてきた場合、前記端末種別情報と前記加入者識別情報とを含めた加入者プロファイル取得要求信号を前記加入者情報収容装置へ送信する処理と、
前記加入者情報収容装置が、前記呼制御装置から送信されてきた加入者プロファイル取得要求信号に含まれる前記端末種別情報と前記加入者識別情報とに基づいて、前記端末へ提供するサービス内容を特定する処理と、
前記加入者情報収容装置が、前記特定されたサービス内容を示す加入者プロファイルを前記呼制御装置へ送信する処理とを有するサービスプロファイル送信方法。
【請求項１２】
請求項１１に記載のサービスプロファイル送信方法において、
前記アクセス装置が、前記端末から前記加入者識別情報が送信されてきた場合、該アクセス装置がカバーするアクセス網にて提供するサービスを識別するためのアクセス網の種別を示すアクセス網種別情報を前記加入者識別情報と共に前記呼制御装置へ送信する処理と、
前記呼制御装置が、前記アクセス装置から前記アクセス網種別情報と前記加入者識別情報とが送信されてきた場合、前記アクセス網種別情報と前記加入者識別情報とを含めた加入者プロファイル取得要求信号を前記加入者情報収容装置へ送信する処理と、
前記加入者情報収容装置が、前記呼制御装置から送信されてきた加入者プロファイル取得要求信号に含まれる前記アクセス網種別情報と前記加入者識別情報とに基づいて、前記アクセス網に存在する端末へ提供するサービス内容を特定する処理と、
前記加入者情報収容装置が、前記特定されたサービス内容を示す加入者プロファイルを前記呼制御装置へ送信する処理とを有することを特徴とするサービスプロファイル送信方法。
【請求項１３】
無線通信機能を有する端末を識別するための加入者識別情報と前記端末へ提供するサービス内容とを対応付けて記憶する加入者情報収容装置に実行させるプログラムであって、
前記端末の呼の設定を行う呼制御装置から送信されてきた加入者プロファイル取得要求信号に含まれる、前記端末へ提供するサービスを識別するための端末の種別を示す端末種別情報と前記端末を識別するための加入者識別情報とに基づいて、前記端末へ提供するサービス内容を特定する手順と、
前記特定されたサービス内容を示す加入者プロファイルを前記呼制御装置へ送信する手順とを前記加入者情報収容装置に実行させるプログラム。
【請求項１４】
請求項１３に記載のプログラムにおいて、
前記呼制御装置から送信されてきた加入者プロファイル取得要求信号に含まれる、前記端末と接続可能に構成されたアクセス装置がカバーするアクセス網にて提供するサービスを識別するためのアクセス網の種別を示すアクセス網種別情報と前記加入者識別情報とに基づいて、前記アクセス網に存在する端末へ提供するサービス内容を特定する手順と、
前記特定されたサービス内容を示す加入者プロファイルを前記呼制御装置へ送信する手順とを前記加入者情報収容装置に実行させることを特徴とするプログラム。
【発明の詳細な説明】
【技術分野】
【０００１】
本発明は、様々なサービスを提供する情報通信システム、ならびに、その情報通信システムにおける端末、アクセス装置、加入者情報収容装置、サービスプロファイル送信方法及びプログラムに関する。
【背景技術】
【０００２】
近年、既存の電話網に置き換わる次世代電話網（ＮＧＮ（Next Generation Network））の標準化がＩＴＵ−Ｔや欧州のＥＴＳＩにて行われている。このＮＧＮでは、様々な多彩なサービスを提供することが可能となる。
【０００３】
このＮＧＮにおけるサービス提供プラットフォームとしてＩＭＳ（IP Multimedia Subsystem）やＭＭＤ（Multi-Media Domain）が挙げられる。
【０００４】
ＩＭＳは、標準化団体３ＧＰＰにて開発されており、携帯電話や無線ＬＡＮ機能を有する端末等、様々な端末に対して、それらが接続されるアクセス網に依存せずに、音声や映像を用いたマルチメディアサービスを提供することができるシステムである（例えば、非特許文献１参照。）。また、加入者がＩＭＳにアクセスするためのアクセスネットワークデータと予め設定されたアクセスネットワークデータとを比較することによって、当該加入者に対してＩＭＳにアクセスを与える方法が考えられている（例えば、特許文献１参照。）。
【０００５】
また、ＭＭＤは、標準化団体３ＧＰＰ２にて開発されており、ＩＭＳと同様に、様々な端末に対して、それらが接続されるアクセス網に依存せずに、音声や映像を用いたマルチメディアサービスを提供することができるシステムである（例えば、非特許文献２参照。）。
【０００６】
図９は、一般的なＩＭＳ／ＭＭＤのシステム構成の一形態を示す図である。なお、本形態は、呼制御信号と情報信号とが異なる経路を経由するＩＭＳ／ＭＭＤのようなＩＰ電話システムにおけるものである。また、図９には、加入者に対してサービスを提供するための加入者プロファイルが送受信されるルートのみを示す。
【０００７】
図９に示した形態には、ＡＰ（Access Point）１００２−１，１００２−２と、ＡＧＷ（Access Gateway）１００４と、Ｐ−ＣＳＣＦ（Proxy-Call Session Control Function）１００５と、Ｓ−ＣＳＣＦ（Serving-Call Session Control Function）１００６と、ＨＳＳ（Home Subscriber Server）１００７とが設けられている。また、ＡＰ１００２−１がカバーするアクセス網１００３−１内に加入者端末１００１−１，１００１−２が存在している。
【０００８】
ＡＰ１００２−１，１００２−２は、無線を用いてアクセス網１００３−１，１００３−２それぞれに存在する加入者端末１００１−１，１００１−２と接続されるアクセス装置である。ＡＰ１００２−１，１００２−２は、無線信号を終端する。
【０００９】
ＡＧＷ１００４は、ＡＰ１００２−１，１００２−２を介して加入者端末１００１−１，１００１−２と接続され、加入者端末１００１−１，１００１−２から送信された信号をＰ−ＣＳＣＦ１００５へ送信する。また、Ｐ−ＣＳＣＦ１００５から送信された信号をＡＰ１００２−１、１００２−２を介して加入者端末１００１−１，１００１−２へ送信するゲートウェイ装置である。
【００１０】
Ｐ−ＣＳＣＦ１００５は、加入者端末１００１−１，１００１−２から送信された呼制御信号であるＳＩＰメッセージをＡＰ１００２−１，１００２−２及びＡＧＷ１００４を介して受信し、受信したＳＩＰメッセージをＳ−ＣＳＣＦ１００６へ転送する呼制御装置である。
【００１１】
Ｓ−ＣＳＣＦ１００６は、Ｐ−ＣＳＣＦ１００５から転送されてきたＳＩＰメッセージにしたがって呼の設定を行う呼制御装置である。
【００１２】
ＨＳＳ１００７は、Ｓ−ＣＳＣＦ１００６と接続され、ＩＭＳ／ＭＭＤに接続された加入者端末１００１−１，１００１−２を識別するための加入者識別情報と加入者端末１００１−１，１００１−２へ提供するサービスの内容との加入者情報を記憶する加入者情報収容装置である。
【００１３】
上述したよう形態においては、例えば、加入者端末１００１−１の位置登録が行われた場合、加入者端末１００１−１から送信された呼制御信号は、ＡＰ１００２−１、ＡＧＷ１００４、Ｐ−ＣＳＣＦ１００５を経路としてＳ−ＣＦＣＳ１００６へ送られる。
【００１４】
すると、Ｓ−ＣＳＣＦ１００６から加入者端末１００１−１に応じた加入者プロファイルの取得を要求するＳＡＲ信号がＨＳＳ１００７へ送信される。
【００１５】
ＳＡＲ信号を受信したＨＳＳ１００７にて、加入者端末１００１−１に応じた加入者プロファイルがＳＡＡ信号としてＳ−ＣＳＣＦ１００６へ返信される。
【００１６】
その後、ＨＳＳ１００７から返信された加入者プロファイルに応じたサービスが加入者端末１００１−１へ提供される。
【非特許文献１】３ＧＰＰ  ＴＳ２３．２２８“ IP Multimedia Subsystem (IMS) ; Stage 2 ”
【非特許文献２】３ＧＰＰ２  Ｘ．Ｓ００１３−００４“ IP Multimedia Call Control based on SIP and SDP; Stage 3 ”
【特許文献１】特開２００７−２５１９７７号公報
【発明の開示】
【発明が解決しようとする課題】
【００１７】
ここで、図９に示した形態において、ＡＰ１００２−１とＡＰ１００２−２とが互いに異なるサービスを提供するものである場合を考える。その場合、加入者端末１００１−１，１００１−２がアクセス網１００３−１とアクセス網１００３−２とのどちらに存在するかにかかわらず、加入者端末１００１−１，１００１−２へ提供されるサービス内容は同じサービス内容となってしまうという問題点がある。それは、Ｓ−ＣＳＣＦ１００６からＨＳＳ１００７へ送信されるＳＡＲ信号にアクセス網１００３−１，１００３−２を識別するための識別情報が含まれていないからである。そのため、ＨＳＳ１００７から返信されるＳＡＡ信号は、加入者端末１００１−１，１００１−２がアクセス網１００３−１とアクセス網１００３−２とのどちらに存在しているかを考慮したものとなっていない。
【００１８】
図１０は、図９に示した形態において、加入者端末１００１−１，１００１−２がＡＰ１００２−２がカバーするアクセス網１００３−２内に存在する形態を示す図である。
【００１９】
図１０において、ＡＰ１００２−１とＡＰ１００２−２とは、互いに異なるサービスを提供するものである。このような場合であっても、上述した理由により、加入者端末１００１−１，１００１−２へ提供されるサービス内容は、アクセス網１００３−１内に存在する場合に供給されるサービス内容と同じサービス内容となってしまう。
【００２０】
また、２Ｇや３Ｇといった端末種別毎に、互いに異なるサービスを提供するシステムである場合を考える。例えば、加入者端末１００１−１が２Ｇの規格の端末であり、また加入者端末１００１−２が３Ｇの規格の端末である場合、それぞれの規格に応じたサービス内容を提供することができないという問題点がある。それは、Ｓ−ＣＳＣＦ１００６からＨＳＳ１００７へ送信されるＳＡＲ信号に端末種別を識別するための識別情報が含まれていないからである。そのため、ＨＳＳ１００７から返信されるＳＡＡ信号は、加入者端末１００１−１，１００１−２がどのような規格の端末種別であるかを考慮したものとなっていない。
【００２１】
本発明は、上述した課題を解決する情報通信システム、端末、アクセス装置、加入者情報収容装置、サービスプロファイル送信方法及びプログラムを提供することを目的とする。
【課題を解決するための手段】
【００２２】
上記目的を達成するために本発明は、
無線通信機能を有する端末と、該端末と接続されたアクセス装置と、前記端末から前記アクセス装置を介して送信された呼制御信号にしたがって呼の設定を行う呼制御装置と、前記呼制御装置に接続され、前記端末を識別するための加入者識別情報と前記端末へ提供するサービス内容とを対応付けて記憶する加入者情報収容装置とを有してなる情報通信システムにおいて、
前記端末は、位置登録を行う際に、該端末へ提供するサービスを識別するための端末の種別を示す端末種別情報を前記加入者識別情報と共に前記アクセス装置を介して前記呼制御装置へ送信し、
前記呼制御装置は、前記端末から前記アクセス装置を介して前記端末種別情報と前記加入者識別情報とが送信されてきた場合、前記端末種別情報と前記加入者識別情報とを含めた加入者プロファイル取得要求信号を前記加入者情報収容装置へ送信し、
前記加入者情報収容装置は、前記呼制御装置から送信されてきた加入者プロファイル取得要求信号に含まれる前記端末種別情報と前記加入者識別情報とに基づいて、前記端末へ提供するサービス内容を特定し、特定されたサービス内容を示す加入者プロファイルを前記呼制御装置へ送信することを特徴とする。
【００２３】
無線通信機能を有する端末であって、
当該端末が位置登録を行う際に、該端末へ提供するサービスを識別するための端末の種別を示す端末種別情報を該端末を識別するための加入者識別情報と共に当該端末と接続されたアクセス装置へ送信する。
【００２４】
無線通信機能を有する端末と接続可能に構成され、無線信号を終端するアクセス装置であって、
前記端末から該端末を識別するための加入者識別情報が送信されてきた場合、当該アクセス装置がカバーするアクセス網にて提供するサービスを識別するためのアクセス網の種別を示すアクセス網種別情報を前記加入者識別情報と共に前記端末の呼の設定を行う呼制御装置へ送信する。
【００２５】
無線通信機能を有する端末を識別するための加入者識別情報と前記端末へ提供するサービス内容とを対応付けて記憶する加入者情報収容装置であって、
前記端末の呼の設定を行う呼制御装置から送信されてきた加入者プロファイル取得要求信号に含まれる、前記端末へ提供するサービスを識別するための端末の種別を示す端末種別情報と前記端末を識別するための加入者識別情報とに基づいて、前記端末へ提供するサービス内容を特定し、特定されたサービス内容を示す加入者プロファイルを前記呼制御装置へ送信する。
【００２６】
無線通信機能を有する端末と、該端末と接続されたアクセス装置と、前記端末から前記アクセス装置を介して送信された呼制御信号にしたがって呼の設定を行う呼制御装置と、前記呼制御装置に接続され、前記端末を識別するための加入者識別情報と前記端末へ提供するサービス内容とを対応付けて記憶する加入者情報収容装置とを有してなる情報通信システムにおけるサービスプロファイル送信方法であって、
前記端末が、位置登録を行う際に、該端末へ提供するサービスを識別するための端末の種別を示す端末種別情報を前記加入者識別情報と共に前記アクセス装置を介して前記呼制御装置へ送信する処理と、
前記呼制御装置が、前記端末から前記アクセス装置を介して前記端末種別情報と前記加入者識別情報とが送信されてきた場合、前記端末種別情報と前記加入者識別情報とを含めた加入者プロファイル取得要求信号を前記加入者情報収容装置へ送信する処理と、
前記加入者情報収容装置が、前記呼制御装置から送信されてきた加入者プロファイル取得要求信号に含まれる前記端末種別情報と前記加入者識別情報とに基づいて、前記端末へ提供するサービス内容を特定する処理と、
前記加入者情報収容装置が、前記特定されたサービス内容を示す加入者プロファイルを前記呼制御装置へ送信する処理とを有する。
【００２７】
無線通信機能を有する端末を識別するための加入者識別情報と前記端末へ提供するサービス内容とを対応付けて記憶する加入者情報収容装置に実行させるプログラムであって、
前記端末の呼の設定を行う呼制御装置から送信されてきた加入者プロファイル取得要求信号に含まれる、前記端末へ提供するサービスを識別するための端末の種別を示す端末種別情報と前記端末を識別するための加入者識別情報とに基づいて、前記端末へ提供するサービス内容を特定する手順と、
前記特定されたサービス内容を示す加入者プロファイルを前記呼制御装置へ送信する手順とを前記加入者情報収容装置に実行させる。
【発明の効果】
【００２８】
以上説明したように本発明においては、端末から、位置登録を行う際に、端末へ提供するサービスを識別するための端末の種別を示す端末種別情報と端末を識別するための加入者識別情報とを端末と接続されたアクセス装置を介して端末の呼の設定を行う呼制御装置へ送信し、呼制御装置にて、端末からアクセス装置を介して送信されてきた端末種別情報と加入者識別情報とを含めた加入者プロファイル取得要求信号を端末を識別するための加入者識別情報と端末へ提供するサービス内容とを対応付けて記憶する加入者情報収容装置へ送信し、加入者情報収容装置にて、呼制御装置から送信されてきた加入者プロファイル取得要求信号に含まれる端末種別情報と加入者識別情報とに基づいて、端末へ提供するサービス内容を特定し、特定されたサービス内容を示す加入者プロファイルを呼制御装置へ送信する構成としたため、加入者端末の端末種別に応じたサービスを提供することができる。
【発明を実施するための最良の形態】
【００２９】
以下に、本発明の実施の形態について図面を参照して説明する。
【００３０】
図１は、本発明の情報通信システムの実施の一形態を示す図である。本形態は、呼制御信号と情報信号とが異なる経路を経由するＩＭＳ／ＭＭＤのようなＩＰ電話システムにおけるものである。
【００３１】
本形態は図１に示すように、ＡＰ（Access Point）１０２−１，１０２−２と、ＡＧＷ（Access Gateway）１０４と、Ｐ−ＣＳＣＦ（Proxy-Call Session Control Function）１０５と、Ｓ−ＣＳＣＦ（Serving-Call Session Control Function）１０６と、ＨＳＳ（Home Subscriber Server）１０７とが設けられている。また、ＡＰ１０２−１がカバーするアクセス網１０３−１内に端末である加入者端末１０１−１，１０１−２が存在している。つまり、加入者端末１０１−１，１０１−２は、ＡＰ１０２−１と接続可能となっている。
【００３２】
ＡＰ１０２−１，１０２−２は、無線を用いてアクセス網１０３−１，１０３−２それぞれに存在する加入者端末１０１−１，１０１−２と接続されるアクセス装置である。また、加入者端末１０１−１，１０１−２が携帯電話である場合、ＡＰ１０２−１，１０２−２は、携帯電話用の無線基地局であっても良い。ＡＰ１０２−１，１０２−２は、無線信号を終端する。
【００３３】
ＡＧＷ１０４は、ＡＰ１０２−１，１０２−２を介して加入者端末１０１−１，１０１−２と接続され、加入者端末１０１−１，１０１−２から送信された信号をＰ−ＣＳＣＦ１０５へ送信する。また、Ｐ−ＣＳＣＦ１０５から送信された信号をＡＰ１０２−１，１０２−２を介して加入者端末１０１−１，１０１−２へ送信するゲートウェイ装置である。
【００３４】
Ｐ−ＣＳＣＦ１０５は、加入者端末１０１−１，１０１−２から送信された呼制御信号であるＳＩＰメッセージをＡＰ１０２−１，１０２−２及びＡＧＷ１００４を介して受信し、受信したＳＩＰメッセージをＳ−ＣＳＣＦ１０６へ転送する第１の呼制御装置である。
【００３５】
Ｓ−ＣＳＣＦ１０６は、Ｐ−ＣＳＣＦ１０５から転送されてきたＳＩＰメッセージにしたがって呼の設定を行う第２の呼制御装置である。加入者端末１０１−１，１０１−２の位置登録の際に、加入者プロファイル取得要求（ＳＡＲ）信号をＨＳＳ１０７へ送信する。
【００３６】
ＨＳＳ１０７は、Ｓ−ＣＳＣＦ１０６と接続され、ＩＭＳ／ＭＭＤに接続された加入者端末１０１−１，１０１−２を識別するための加入者識別情報と加入者端末１０１−１，１０１−２へ提供するサービスの内容との加入者情報を記憶する加入者情報収容装置である。Ｓ−ＣＳＣＦ１０６から送信されたＳＡＲ信号に応じた加入者プロファイルを返信信号（ＳＡＡ）として、Ｓ−ＣＳＣＦ１０６へ送信する。
【００３７】
また、加入者端末１０１−１，１０１−２が、ＡＰ１０２−２がカバーするアクセス網１０３−２内に存在する場合もある。
【００３８】
図２は、図１に示した形態において、加入者端末１０１−１，１０１−２が、ＡＰ１０２−２がカバーするアクセス網１０３−２内に存在する場合を示す図である。
【００３９】
図２に示すように、加入者端末１０１−１，１０１−２が、ＡＰ１０２−２がカバーするアクセス網１０３−２内に存在する場合、加入者端末１０１−１，１０１−２は、ＡＰ１０２−２と接続される。
【００４０】
図３は、図１に示した加入者端末１０１−１の内部構成の一例を示す図である。
【００４１】
図１に示した加入者端末１０１−１には図３に示すように、記憶部１１０と、端末種別情報抽出部１１１と、情報送信部１１２とが設けられている。
【００４２】
記憶部１１０は、加入者端末１０１−１に関する情報を記憶する。この中に、加入者端末１０１−１の端末種別情報が含まれる。ここで、端末種別情報とは、２Ｇ端末や３Ｇ端末といった、提供されるサービスを識別することができる端末の世代等の種別を示す情報である。
【００４３】
端末種別情報抽出部１１１は、記憶部１１０から端末種別情報を抽出し、抽出した端末種別情報を情報送信部１１２へ出力する。記憶部１１０から端末種別情報を抽出するタイミングは、加入者端末１０１−１が位置登録を行うタイミングである。
【００４４】
情報送信部１１２は、加入者端末１０１−１から送信すべき情報をＡＰ１０２−１，１０２−２へ送信する。このとき、端末種別情報抽出部１１１から出力された端末種別情報が情報送信部１１２に入力している場合、当該端末種別情報も送信する。
【００４５】
なお、図３には、加入者端末１０１−１の構成要素のうち本発明に関わる構成要素のみを示した。また、図１に示した加入者端末１０１−２の内部構成は、加入者端末１０１−１の内部構成と同じである。
【００４６】
図４は、図１に示したＡＰ１０２−１の内部構成の一例を示す図である。
【００４７】
図１に示したＡＰ１０２−１には図４に示すように、記憶部１２０と、アクセス網種別情報抽出部１２１と、情報送信部１２２と、情報受信部１２３と、情報処理部１２４とが設けられている。
【００４８】
記憶部１２０は、ＡＰ１０２−１に関する情報を記憶する。この中に、ＡＰ１０２−１のアクセス網種別情報が含まれる。ここで、アクセス網種別情報とは、ＡＰ１０２−１のカバーするアクセス網１０３−１で提供されるサービスを識別することができるアクセス網の種別を示す情報である。
【００４９】
アクセス網種別情報抽出部１２１は、記憶部１１０からアクセス網種別情報を抽出し、抽出したアクセス網種別情報を情報送信部１２２へ出力する。記憶部１１０からアクセス網種別情報を抽出するタイミングは、加入者端末１０１−１，１０１−２から送信された端末種別情報がＡＰ１０２−１にて受信されたタイミングである。
【００５０】
情報受信部１２３は、加入者端末１０１−１，１０１−２から送信された情報を受信する。このとき加入者端末１０１−１，１０１−２から送信された端末種別情報も受信する。
【００５１】
情報処理部１２４は、情報受信部１２３にて受信された情報について所定の処理を行う。この処理は、一般的に行われている処理であるため、ここでは処理の内容の詳細は記述しない。
【００５２】
情報送信部１２２は、情報処理部１２４にて処理された情報およびアクセス網種別情報抽出部１２１から出力されたアクセス網種別情報をＡＧＷ１０４へ送信する。
【００５３】
なお、図４には、ＡＰ１０２−１のうち本発明に関わる構成要素のみを示した。
【００５４】
図５は、図１に示したＨＳＳ１０７の内部構成の一例を示す図である。
【００５５】
図１に示したＨＳＳ１０７には図５に示すように、プロファイルデータベース１７０と、情報受信部１７１と、プロファイル抽出部１７２と、情報送信部１７３とが設けられている。
【００５６】
プロファイルデータベース１７０は、加入者情報のサービスプロファイルを記憶する。また、端末種別情報およびアクセス網種別情報に応じたサービス内容を記憶する。これらの情報は、予め記憶されているものである。
【００５７】
情報受信部１７１は、加入者端末１０１−１，１０１−２の位置登録の際にＳ−ＣＳＣＦ１０６から送信された加入者プロファイル取得要求（ＳＡＲ）信号を受信する。受信されるＳＡＲ信号には、加入者端末を識別可能に固有に付与された加入者識別情報と、上述した端末種別情報とアクセス網種別情報とが含まれる。また、受信したＳＡＲ信号をプロファイル抽出部１７２へ出力する。
【００５８】
プロファイル抽出部１７２は、情報受信部１７１から出力されたＳＡＲ信号に基づいて、プロファイルデータベース１７０に記憶されている加入者プロファイルを抽出する。抽出した加入者プロファイルを情報送信部１７３へ出力する。
【００５９】
情報送信部１７３は、プロファイル抽出部１７２から出力された加入者プロファイルをＳ−ＣＳＣＦ１０６へ返信信号（ＳＡＡ）として送信する。
【００６０】
なお、図５には、ＨＳＳ１０７のうち本発明に関わる構成要素のみを示した。
【００６１】
また、図６は、図５に示したプロファイルデータベース１７０の構造の一例を示す図である。
【００６２】
図５に示したプロファイルデータベース１７０の構造は図６に示すように、加入者情報と種別情報とが記憶されている。
【００６３】
加入者情報は、加入者識別情報とサービス内容とが対応付けられて記憶されているものである。ここで、加入者識別情報とは、加入者端末１０１−１，１０１−２を識別可能に固有に付与された情報である。例えば、加入者端末１０１−１，１０１−２の電話番号等である。例えば、図６に示すように、加入者識別情報が「＋８１９０１１１１１１１１」である加入者端末には、「Ａ」または「Ｂ」または「Ｃ」のサービスが提供できることが記憶されている。また、加入者識別情報が「＋８１９０２２２２２２２２」である加入者端末には、「Ｂ」または「Ｃ」のサービスが提供できることが記憶されている。また、加入者識別情報が「＋８１９０３３３３３３３３」である加入者端末には、「Ａ」または「Ｃ」または「Ｄ」のサービスが提供できることが記憶されている。
【００６４】
また、種別情報は、端末種別情報とアクセス網種別情報とサービス内容とが記憶されているものである。例えば、図６に示すように、端末種別情報が「ｘ」であり、アクセス網種別情報が「ａ」である場合、提供できるサービスは「Ａ」であることが記憶されている。また、端末種別情報が「ｘ」であり、アクセス網種別情報が「ｂ」である場合、提供できるサービスは「Ｂ」であることが記憶されている。また、端末種別情報が「ｙ」であり、アクセス網種別情報が「ａ」である場合、提供できるサービスは「Ｃ」であることが記憶されている。また、端末種別情報が「ｙ」であり、アクセス網種別情報が「ｂ」である場合、提供できるサービスは「Ｄ」であることが記憶されている。
【００６５】
これらにより、Ｓ−ＣＳＣＦ１０６から送信されたＳＡＲ信号に基づいて、提供できるサービスをプロファイルデータベース１７０の中から検索することによって特定することが可能となっている。図６に示すような加入者情報および種別情報がプロファイルデータベース１７０に記憶されていることにより、例えば、加入者識別情報が「＋８１９０１１１１１１１１」である加入者端末の端末種別情報が「ｘ」であり、当該加入者端末が接続されているアクセス網種別情報が「ａ」である場合、当該加入者端末へ提供することができるサービス内容は「Ａ」となる。また、加入者識別情報が「＋８１９０１１１１１１１１」である加入者端末の端末種別情報が「ｘ」であり、当該加入者端末が接続されているアクセス網種別情報が「ｂ」である場合、当該加入者端末へ提供することができるサービス内容は「Ｂ」となる。また、加入者識別情報が「＋８１９０１１１１１１１１」である加入者端末の端末種別情報が「ｙ」であり、当該加入者端末が接続されているアクセス網種別情報が「ａ」である場合、当該加入者端末へ提供することができるサービス内容は「Ｃ」となる。また、加入者識別情報が「＋８１９０２２２２２２２２」である加入者端末の端末種別情報が「ｘ」であり、当該加入者端末が接続されているアクセス網種別情報が「ｂ」である場合、当該加入者端末へ提供することができるサービス内容は「Ｂ」となる。また、加入者識別情報が「＋８１９０２２２２２２２２」である加入者端末の端末種別情報が「ｙ」であり、当該加入者端末が接続されているアクセス網種別情報が「ａ」である場合、当該加入者端末へ提供することができるサービス内容は「Ｃ」となる。また、加入者識別情報が「＋８１９０３３３３３３３３」である加入者端末の端末種別情報が「ｘ」であり、当該加入者端末が接続されているアクセス網種別情報が「ａ」である場合、当該加入者端末へ提供することができるサービス内容は「Ａ」となる。また、加入者識別情報が「＋８１９０３３３３３３３３」である加入者端末の端末種別情報が「ｙ」であり、当該加入者端末が接続されているアクセス網種別情報が「ａ」である場合、当該加入者端末へ提供することができるサービス内容は「Ｃ」となる。また、加入者識別情報が「＋８１９０３３３３３３３３」である加入者端末の端末種別情報が「ｙ」であり、当該加入者端末が接続されているアクセス網種別情報が「ｂ」である場合、当該加入者端末へ提供することができるサービス内容は「Ｄ」となる。
【００６６】
以下に、本形態におけるサービスプロファイル送信方法について説明する。
【００６７】
図７は、本形態におけるサービスプロファイル送信方法を説明するためのシーケンス図である。ここでは、加入者端末１０１−１がサービスを提供される場合を例に挙げて説明する。また、加入者端末１０１−１はＡＰ１０２−１に接続されている場合を例に挙げて説明する。
【００６８】
まず、加入者端末１０１−１が位置登録を行う際に、加入者端末１０１−１の情報送信部１１２から加入者情報および端末種別情報がＡＰ１０２−１へ送信される（ステップＳ１）。このとき、送信される加入者情報は、一般的な位置登録に必要な加入者識別情報等である。また、送信される端末種別情報は、端末種別情報抽出部１１１によって記憶部１１０から抽出されたものが情報送信部１１２から送信される。
【００６９】
加入者端末１０１−１から送信された加入者情報および端末種別情報がＡＰ１０２−１の情報受信部１２３にて受信されると、ＡＰ１０２−１のアクセス網種別情報抽出部１２１によって記憶部１２０からアクセス網種別情報が抽出される。また、情報受信部１２３にて受信された情報について情報処理部１２４にて所定の処理が行われ、アクセス網種別情報抽出部１２１によって記憶部１２０から抽出されたアクセス網種別情報とともに、情報送信部１２２からＡＧＷ１０４を介してＰ−ＣＳＣＦ１０５へ送信される（ステップＳ２）。
【００７０】
ＡＰ１０２−１から送信された加入者情報と端末種別情報とアクセス網識別情報とがＡＧＷ１０４を介してＰ−ＣＳＣＦ１０５にて受信されると、それらの情報がＳ−ＣＳＣＦ１０６へ転送される（ステップＳ３）。
【００７１】
Ｐ−ＣＳＣＦ１０５から転送されてきた加入者情報と端末種別情報とアクセス網識別情報とがＳ−ＣＳＣＦ１０６にて受信されると、端末種別情報とアクセス網識別情報とが追加されたＳＡＲ信号がＳ−ＣＳＣＦ１０６からＨＳＳ１０７へ送信される（ステップＳ４）。
【００７２】
Ｓ−ＣＳＣＦ１０６から送信されたＳＡＲ信号がＨＳＳ１０７の情報受信部１７１にて受信されると、プロファイル抽出部１７２によってＳＡＲ信号に含まれた加入者識別情報と端末種別情報とアクセス網識別情報とに基づいて、提供できるサービス内容がプロファイルデータベース１７０から検索されることによって特定される（ステップＳ５）。検索方法については、上述したとおりである。
【００７３】
そして、特定されたサービス内容である加入者プロファイルが返信（ＳＡＡ）として情報送信部１７３からＳ−ＣＳＣＦ１０６へ送信される（ステップＳ６）。
【００７４】
その後、Ｓ−ＣＳＣＦ１０６にて受信された加入者プロファイルのサービス内容に応じて、加入者端末１０１−１に当該サービスが提供される（ステップＳ７〜Ｓ９）。このステップＳ７〜Ｓ９の処理については、従来のものと同じである。
【００７５】
以上により、加入者端末１０１−１の端末種別と加入者端末１０１−２の端末種別とが異なる場合や、アクセス網１０３−１のアクセス網種別とアクセス網１０３−２のアクセス網種別とが異なる場合、それぞれに応じたサービスを加入者端末１０１−１，１０１−２へ提供することが可能となる。
【００７６】
なお、各装置間にて送受信される情報の信号形式については、既存のＳＩＰ／Ｄｉａｍｅｔｅｒ／ＭＥＧＡＣＯ  ＩＦを用いて、それらの使用可能なフィールドを使ったものであっても良く、ここでは特に規定しない。
【００７７】
図８は、Ｄｉａｍｅｔｅｒの信号形式の一例を示す図である。
【００７８】
Ｄｉａｍｅｔｅｒの信号は図８に示すように、各フィールドが定められており、図８に示した属性名が「User-Data」であるフィールドが任意に使用可能となっている。「User-Data」に端末種別情報やアクセス網種別情報を所定の形式で挿入することにより、各装置にて端末種別情報やアクセス網種別情報を認識することができる。なお、このＤｉａｍｅｔｅｒの信号形式は、ＩＥＴＦが発行したＲＦＣ３５８８にて標準化されている。また、Ｄｉａｍｅｔｅｒに限らず、既存の信号の任意に使用できるフィールドを用いるものであれば良い。
【００７９】
また、図５に示すＨＳＳ１０７の処理は、目的に応じて作製された論理回路で行うようにしても良い。また、処理内容を記述したプログラムをＨＳＳ１０７にて読取可能な記録媒体に記録し、この記録媒体に記録されたプログラムをＨＳＳ１０７に読み込ませ、実行するものであっても良い。ＨＳＳ１０７にて読取可能な記録媒体とは、フロッピーディスク（登録商標）、光磁気ディスク、ＤＶＤ、ＣＤなどの移設可能な記録媒体の他、ＨＳＳ１０７に内蔵されたＨＤＤ等を指す。この記録媒体に記録されたプログラムは、ＨＳＳ１０７内のＣＰＵ（不図示）にて読み込まれ、ＣＰＵの制御によって、上述したものと同様の処理が行われる。ここで、ＣＰＵは、プログラムが記録された記録媒体から読み込まれたプログラムを実行するコンピュータとして動作するものである。
【図面の簡単な説明】
【００８０】
【図１】本発明の情報通信システムの実施の一形態を示す図である。
【図２】図１に示した形態において、加入者端末が、隣接するＡＰがカバーするアクセス網内に存在する場合を示す図である。
【図３】図１に示した加入者端末の内部構成の一例を示す図である。
【図４】図１に示したＡＰの内部構成の一例を示す図である。
【図５】図１に示したＨＳＳの内部構成の一例を示す図である。
【図６】図５に示したプロファイルデータベースの構造の一例を示す図である。
【図７】本形態におけるサービスプロファイル送信方法を説明するためのシーケンス図である。
【図８】Ｄｉａｍｅｔｅｒの信号形式の一例を示す図である。
【図９】一般的なＩＭＳ／ＭＭＤのシステム構成の一形態を示す図である。
【図１０】図９に示した形態において、加入者端末が、隣接するＡＰがカバーするアクセス網内に存在する形態を示す図である。
【符号の説明】
【００８１】
１０１−１，１０１−２    加入者端末
１０２−１，１０２−２    ＡＰ
１０３−１，１０３−２    アクセス網
１０４    ＡＧＷ
１０５    Ｐ−ＣＳＣＦ
１０６    Ｓ−ＣＳＣＦ
１０７    ＨＳＳ
１１０，１２０    記憶部
１１１    端末種別情報抽出部
１１２，１２２，１７３    情報送信部
１２１    アクセス網種別情報抽出部
１２３，１７１    情報受信部
１２４    情報処理部
１７０    プロファイルデータベース
１７２    プロファイル抽出部
【図１】
2009177702.tif 000003
【図２】
2009177702.tif 000004
【図３】
2009177702.tif 000005
【図４】
2009177702.tif 000006
【図５】
2009177702.tif 000007
【図６】
2009177702.tif 000008
【図７】
2009177702.tif 000009
【図８】
2009177702.tif 000010
【図９】
2009177702.tif 000011
【図１０】
2009177702.tif 000012